(57)【要約】      （修正有）【課題】駆動モータや制御盤が配設されていない下階側の機械室内で保守点検作業を行う際に、作業毎に機械室床の清掃を行うことなく、作業時に安定した足場を確保することができ適切な姿勢で作業可能であるとともに、保守作業員の靴底が汚れることを未然防止することが可能であって、作業全体でみた場合の作業効率が良好であるエスカレーター装置を提供する。【解決手段】エスカレーター１のトラス２の長手方向の両端部に機械室３ａ、３ｂがそれぞれ設けられ、一方の機械室３ａ内に前記エスカレーター１の運転を駆動する駆動モータ４及び前記エスカレーター１の運転を制御する制御盤５が配設されたエスカレーター装置において、他方の機械室３ｂ内に設けられた足場板１１を備える。【選択図】図１
2010228846.tif 000002
【特許請求の範囲】
【請求項１】
エスカレーターのトラスの長手方向の両端部に機械室がそれぞれ設けられ、一方の機械室内に前記エスカレーターの運転を駆動する駆動モータ及び前記エスカレーターの運転を制御する制御盤が配設されたエスカレーター装置であって、
他方の機械室内に設けられた足場板を備えたことを特徴とするエスカレーター装置。
【請求項２】
前記足場板は、通常時に配置される収納位置と必要時に配置される使用位置との間で移動自在に設けられたことを特徴とする請求項１に記載のエスカレーター装置。
【請求項３】
前記収納位置は、前記他方の機械室内の前記エスカレーターの踏段から離間し、かつ、前記他方の機械室の壁面に沿った位置であり、
前記使用位置は、前記他方の機械室内の床面上の前記踏段に近接した位置であることを特徴とする請求項２に記載のエスカレーター装置。
【請求項４】
前記足場板を、前記収納位置と前記使用位置との間で移動自在に支持し、前記他方の機械室の壁面に連結する、折畳自在に設けられた連結腕を備えたことを特徴とする請求項３に記載のエスカレーター装置。
【請求項５】
前記足場板が前記使用位置に配置されている場合に、前記エスカレーターの運転を停止させる運転停止手段を備えたことを特徴とする請求項２から請求項４のいずれかに記載のエスカレーター装置。
【請求項６】
前記他方の機械室の壁面に設けられ、動作すると前記エスカレーターの運転を停止させる運転阻止スイッチと、
前記運転阻止スイッチに前記壁面から突出して設けられ、押込まれると前記運転阻止スイッチが不動作となり、押込まれないと前記運転阻止スイッチが動作する検知部と、を備え、
前記検知部は、前記収納位置に配置された前記足場板により押込まれ、かつ、前記足場板が前記使用位置に配置されると押込まれない位置に配設されることを特徴とする請求項３又は請求項４のいずれかに記載のエスカレーター装置。
【請求項７】
前記足場板は、略長方形を呈することを特徴とする請求項１から請求項６のいずれかに記載のエスカレーター装置。
【請求項８】
前記一方の機械室は、前記エスカレーターの上階側の機械室であり、前記他方の機械室は、前記エスカレーターの下階側の機械室であることを特徴とする請求項１から請求項７のいずれかに記載のエスカレーター装置。
【発明の詳細な説明】
【技術分野】
【０００１】
この発明は、エスカレーター装置に関するものである。
【背景技術】
【０００２】
一般に、エスカレーター装置においては、当該エスカレーターの運転を駆動する駆動モータは、上階側の端部に設けられた機械室内に配設されることが多く、この駆動モータと制御盤等を結ぶ配線は機械室床面に這わせて置かれることになる。
従来においては、この上階側の機械室内の床面に這わせて置かれた配線を損傷させることなく、安全に保守点検作業を行えるようにするために、駆動モータが載置されるマシンベッドに沿って略Ｌ字状を呈し足を有する足場板を、前記足によって機械室床との間に間隙を有するように設け、この間隙に前記配線を収納するものが知られている（例えば、特許文献１参照）。
【先行技術文献】
【特許文献】
【０００３】
【特許文献１】特開平０６−３４５３７１号公報
【発明の概要】
【発明が解決しようとする課題】
【０００４】
このように、特許文献１に示された従来におけるエスカレーター装置においては、駆動モータが配設される上階側の機械室にのみ足場板が設けられており、下階側の機械室内には足場板が設けられていない。
しかしながら、下階側の機械室床は、踏段等との位置関係から油や埃が溜まり易く、油汚れが著しい。従って、従来においては、下階側の機械室内で保守点検作業を行う際に、作業毎に機械室床の清掃を行う必要があり、煩雑で手数がかかるという課題があった。そして、この作業開始前の清掃を怠った場合には、足元が滑り易く足場が不安定であり作業効率が悪くなるという課題や、保守作業員の靴底が汚れてしまい靴底の清掃を行う必要が出てきてしまい、この靴底の清掃を怠ると周囲の床をも汚してしまうおそれがあって作業全体でみた場合の作業時間や手数がかかるという課題もある。
【０００５】
また、特許文献１に示された従来におけるエスカレーター装置においては、足場板は、常時、機械室床に設置されているため、足場板自体が油や埃等で汚れてしまい、作業時に足場が不安定となってしまう、靴底が汚れてしまう等の課題や、足場板の形状がＬ字状で狭く、作業時の体勢が不安定となり作業性が悪いという課題もある。
【０００６】
さらに、下階側の機械室には制御盤等の当該エスカレーターの運転状態を指示する機器が設けられていないため、作業開始時に運転を止めるために、また、作業終了時には運転を再開するために、作業を行う下階側の機械室から制御盤等が設けられた上階側の機械室に行かねばならず煩雑で手数がかかるという課題がある。
また、保守点検作業中に意図せず当該エスカレーターの運転が再開されてしまうと作業に支障が出てしまうという課題もある。
【０００７】
この発明は、このような課題を解決するためになされたもので、第１の目的は、駆動モータや制御盤が配設されていない下階側の機械室内で保守点検作業を行う際に、作業毎に機械室床の清掃を行うことなく、作業時に安定した足場を確保することができ適切な姿勢で作業可能であるとともに、保守作業員の靴底が汚れることを未然防止することが可能であって、作業全体でみた場合の作業効率が良好であるエスカレーター装置を得るものである。
また、第２の目的は、制御盤が配設されていない下階側の機械室での作業開始時や作業終了時に上階側の機械室に行かなくともよく、併せて、保守点検作業中に意図せず当該エスカレーターの運転が再開されてしまうことを未然に防止することができるエスカレーター装置を得るものである。
【課題を解決するための手段】
【０００８】
この発明に係るエスカレーター装置においては、エスカレーターのトラスの長手方向の両端部に機械室がそれぞれ設けられ、一方の機械室内に前記エスカレーターの運転を駆動する駆動モータ及び前記エスカレーターの運転を制御する制御盤が配設されたエスカレーター装置であって、他方の機械室内に設けられた足場板を備えた構成とする。
【発明の効果】
【０００９】
この発明はエスカレーター装置において、エスカレーターのトラスの長手方向の両端部に機械室がそれぞれ設けられ、一方の機械室内に前記エスカレーターの運転を駆動する駆動モータ及び前記エスカレーターの運転を制御する制御盤が配設されたエスカレーター装置であって、他方の機械室内に設けられた足場板を備えた構成としたことで、駆動モータや制御盤が配設されていない下階側の機械室内で保守点検作業を行う際に、作業毎に機械室床の清掃を行うことなく、作業時に安定した足場を確保することができ適切な姿勢で作業可能であるとともに、保守作業員の靴底が汚れることを未然防止することが可能であって、作業全体でみた場合の作業効率が良好であるという効果を奏する。
【図面の簡単な説明】
【００１０】
【図１】この発明の実施の形態１に係るエスカレーター装置の全体構成を示す説明図である。
【図２】この発明の実施の形態１に係る図１中のＡ部を拡大したもので、足場板の使用時を示す要部拡大図である。
【図３】この発明の実施の形態１に係る足場板の収納時を示す要部拡大図である。
【発明を実施するための形態】
【００１１】
この発明を添付の図面に従い説明する。各図を通じて同符号は同一部分又は相当部分を示しており、その重複説明は適宜に簡略化又は省略する。
【００１２】
実施の形態１．
図１から図３は、この発明の実施の形態１に係るもので、図１はエスカレーター装置の全体構成を示す説明図、図２は図１中のＡ部を拡大したもので、足場板の使用時を示す要部拡大図、図３は足場板の収納時を示す要部拡大図である。
図において、１は、設置された上階と下階との間で乗客を運搬するエスカレーターである。２はエスカレーター１の基本的枠組みを構成するトラスであり、上階と下階と間に架設されている。そして、このトラス２内の上階側の端部には上階側機械室３ａが、このトラス２内の下階側の端部には下階側機械室３ｂが、それぞれ設けられている。
【００１３】
上階側機械室３ａ内にはエスカレーター１の運転を駆動する駆動モータ４や、この駆動モータ４等の動作を制御することによりエスカレーター１の運転全般を制御する制御盤５等が設置されている。
そして、上階側機械室３ａ内には上部スプロケット６ａが、下階側機械室３ｂ内には下部スプロケット６ｂが、それぞれ回動自在に設けられており、これらの上部スプロケット６ａ及び下部スプロケット６ｂには無端状の踏段チェーン７が巻き掛けられている。
【００１４】
この踏段チェーン７には、エスカレーター１の乗客が搭乗する複数の踏段８が、無端状に連結されて係止されており、駆動モータ４の回転駆動が上部スプロケット６ａへと伝達されて踏段チェーン７が上部スプロケット６ａと下部スプロケット６ｂとの間を循環することによって、踏段８がトラス２内を循環移動する。
また、トラス２上には、踏段８の左右両側に沿って一対の欄干９が立設されており、これら欄干９の周縁には、駆動モータ４により駆動され、踏段８と同期して循環移動する無端状の移動手摺１０が設けられている。
【００１５】
下階側機械室３ｂ内には、下階側機械室３ｂ内の下部スプロケット６ｂ、踏段チェーン７や踏段８等の保守点検作業時に、作業員が使用する足場板１１が設けられている。
この足場板１１は平面視略長方形状であって下面四隅には脚部１１ａがそれぞれ設けられており、足場板１１が下階側機械室３ｂの床面上に配置された際にこれらの脚部１１ａが床面に当接することにより、足場板１１の下面と下階側機械室３ｂの床面との間に所定の間隙が形成されるようになっている。
【００１６】
足場板１１は、下階側機械室３ｂの反踏段８側の壁面と、折畳自在に構成された左右一対の連結腕１２により支持、連結されており、この連結腕１２は、より詳しくは次のようにして構成されている。
すなわち、下階側機械室３ｂの反踏段８側の壁面に設けられた一対の取付部１２ａに、一対の第１のリンク棒１２ｂの一端部が第１のリンクピン１２ｄによりそれぞれ回動自在に枢着されており、これら第１のリンク棒１２ｂの他端部には、一対の第２のリンク棒１２ｃの一端部が第２のリンクピン１２ｅによりそれぞれ回動自在に枢着されている。
そして、これら第２のリンク棒１２ｃの他端部は、第３のリンクピン１２ｆにより、足場板１１の左右両側の踏段８側端部に回動自在に枢着されている。
【００１７】
このようにして、足場板１１は連結腕１２により下階側機械室３ｂの壁面に連結されており、通常時は図３に示すように連結腕１２が折畳まれて足場板１１は起立状態となって、下階側機械室３ｂの反踏段８側の壁面に沿うようにして収納されている。
この収納位置に足場板１１が配置された状態においては、足場板１１は踏段８等から十分に離間しており、足場板１１が踏段８等と干渉するおそれがない。
【００１８】
そして、下階側機械室３ｂの保守点検作業等を行う必要時には、図２に示すように、連結腕１２は伸展され、足場板１１が下階側機械室３ｂの床面上に載置されて使用位置に配置され、保守作業員はこの足場板１１上に乗って作業を行う。ここで、前記使用位置においては、足場板１１は、保守点検対象である踏段８等に近接した、下階側機械室３ｂの床面上に配置される。
こうして、折畳自在な連結腕１２により、足場板１１は前記収納位置と前記使用位置との間で移動自在に設けられている。
【００１９】
下階側機械室３ｂの反踏段８の壁面、すなわち、足場板１１が連結される壁面には、運転停止手段を構成する運転阻止スイッチ１３が取付けられている。
この運転阻止スイッチ１３は常時踏段８側へと突出するようにバネ等により付勢された検知部１３ａを有しており、この検知部１３ａが反踏段８側すなわち壁面側へと押込まれた状態においては運転阻止スイッチ１３は動作せず、壁面側への押込が解放されて前記バネ等の付勢により検知部１３ａが踏段８側へと突出すると運転阻止スイッチ１３が動作して、駆動モータ４が停止されてエスカレーター１の運転が停止されるようになっている。
【００２０】
このように構成されたエスカレーター装置においては、通常時には、連結腕１２が折畳まれ、起立状態となって下階側機械室３ｂの壁面に沿うようにして収納された、すなわち前記収納位置に配置された足場板１１の上面が、運転阻止スイッチ１３の検知部１３ａに当接してこの検知部１３ａを壁面側へと押込んだ状態となっており、従って、運転阻止スイッチ１３は動作せず、エスカレーター１は運転可能である（図３）。
そして、必要時には、連結腕１２は伸展されて足場板１１が下階側機械室３ｂの床面上に載置される、すなわち足場板１１が前記使用位置に配置されることにより、足場板１１によって壁面側へと押込まれていた運転阻止スイッチ１３の検知部１３ａは解放されて踏段８側へと突出し、運転阻止スイッチ１３が動作してエスカレーター１の運転は停止される（図２）。
【００２１】
なお、ここでは、エスカレーターに対して本発明を適用した実施形態を説明したが、いわゆる動く歩道を含むマンコンベア全般に適用可能であることはいうまでもない。
この場合は、機械室の位置について上階側、下階側といった区別はできないものの、内部に駆動モータや制御盤が配設された一方の機械室及びこれらが配設されない他方の機械室という区分が可能であって、一方の機械室が上階側機械室に他方の機械室が下階側機械室に対応することになる。
【００２２】
以上のように構成されたエスカレーター装置においては、エスカレーターのトラスの長手方向の両端部にそれぞれ設けられた機械室のうち、一方の機械室内に駆動モータ及び制御盤が配設し、他方の機械室内に足場板を設けることにより、駆動モータや制御盤が配設されていない下階側の機械室内で保守点検作業を行う際に、作業毎に機械室床の清掃を行うことなく、作業時に安定した足場を確保することができ適切な姿勢で作業可能であるとともに、保守作業員の靴底が汚れることを未然に防止することが可能であって、作業全体でみた場合の作業効率が良好である。
【００２３】
そして、足場板を、通常時に配置される収納位置と必要時に配置される使用位置との間で移動自在に設けることにより、足場板自体が油や埃等で汚れてしまうことを未然に防止することができ、また、収納位置を、他方の機械室内の、踏段から離間しかつ壁面に沿った位置とし、使用位置を、他方の機械室内の床面上の踏段に近接した位置とすることで、足場板の未使用時におけるこの足場板と踏段等との干渉を未然に防止することが可能である。
【００２４】
さらに、足場板が使用位置に配置されている場合に、エスカレーターの運転を停止させる運転停止手段を備えたことで、制御盤が配設されていない下階側の機械室での作業開始時や作業終了時に上階側の機械室に行かなくともよく、併せて、保守点検作業中に意図せず当該エスカレーターの運転が再開されてしまうことを未然に防止することができる。
【００２５】
加えて、足場板を略長方形とすることで、広く安定した作業足場を確保することが可能であり、また、この足場板を、特にエスカレーターの下階側の機械室内に設けたことにより、その位置関係等から油や埃等による汚れの著しい下階側機械室内での作業効率を良好なものとすることができる。
【符号の説明】
【００２６】
１    エスカレーター
２    トラス
３ａ  上階側機械室
３ｂ  下階側機械室
４    駆動モータ
５    制御盤
６ａ  上部スプロケット
６ｂ  下部スプロケット
７    踏段チェーン
８    踏段
９    欄干
１０    移動手摺
１１    足場板
１１ａ  脚部
１２    連結腕
１２ａ  取付部
１２ｂ  第１のリンク棒
１２ｃ  第２のリンク棒
１２ｄ  第１のリンクピン
１２ｅ  第２のリンクピン
１２ｆ  第３のリンクピン
１３    運転阻止スイッチ
１３ａ  検知部
【図１】
2010228846.tif 000003
【図２】
2010228846.tif 000004
【図３】
2010228846.tif 000005